(57)【特許請求の範囲】
【請求項１】
傾斜角を測定すべき測定対象物に取り付けられる基体と、該基体と鉛直方向に間隔を存して配置された錘体と、該基体及び錘体の間に鉛直方向に起立した姿勢で配置され、その前記錘体側の一端部が該錘体に取り付けられた第１の起歪板と、該基体及び錘体の間に前記第１の起歪板と直交し且つ鉛直方向に起立した姿勢で前記第１の起歪板と略同じ高さに配置され、その前記基体側の一端部が該基体に取付けられた第２の起歪板と、該基体及び錘体の間に配置され、前記第１の起歪板の前記基体側の他端部及び第２の起歪板の前記錘体側の他端部を取付けた起歪板取付部材と、前記第１の起歪板の法線方向での前記測定対象物の傾斜に伴う前記基体に対する前記錘体の移動による該第１の起歪板の変形量を該第１の起歪板の法線方向での該測定対象物の傾斜角を示す量として検出すると共に、前記第２の起歪板の法線方向での前記測定対象物の傾斜に伴う前記基体に対する前記錘体の移動による該第２の起歪板の変形量を該第２の起歪板の法線方向での該測定対象物の傾斜角を示す量として検出する起歪板変形検出手段とを備えたことを特徴とする二軸傾斜計。
【請求項２】
前記第１の起歪板と第２の起歪板とはそれぞれ一対づつ備えられると共に、前記起歪板取付部材は前記基体及び錘体の間の略中心部に配置され、前記一対の第１の起歪板は、前記起歪板取付部材の外周箇所に周方向に略１８０度の間隔を存して配置され、前記一対の第２の起歪板は、前記各第１の起歪板と前記起歪板取付部材の周方向に略９０度の位相をずらした位置で、該起歪板取付部材の周方向に略１８０度の間隔を存して配置されていることを特徴とする請求項１記載の二軸傾斜計。
【請求項３】
前記基体、錘体及び起歪板取付部材の中心部に鉛直方向に延在する貫通孔を穿設したことを特徴とする請求項２記載の二軸傾斜計。
【請求項４】
前記起歪板変形検出手段は、前記第１の起歪板及び第２の起歪板のそれぞれに貼着されたひずみゲージにより構成されていることを特徴とする請求項１乃至３のいずれかに記載の二軸傾斜計。
【発明の詳細な説明】
【０００１】
【発明の属する技術分野】
本発明は、建造物等の測定対象物の傾斜角を測定するための傾斜計に関し、特に二軸方向の傾斜角を測定するための傾斜計に関する。
【０００２】
【従来の技術】
例えば土木、建築産業等の分野では、建造物等の測定対象物の設置状態等を確認するために、該測定対象物の傾斜角を、前後及び左右方向というような二軸方向で測定することが必要となる場合が多々ある。
【０００３】
そして、このように測定対象物の二軸方向での傾斜角を測定するための二軸傾斜計としては、従来、例えば図６に示すような構造のものが知られている。
【０００４】
この二軸傾斜計では、建造物等の測定対象物に取付けられる基体ａの下方に該基体ａと間隔を存して錘体ｂが配置され、これらの基体ａ及び錘体ｂとの間で、一対の起歪板ｃ，ｄが上下に縦列し且つ互いに直交する姿勢で配置されると共に、上側の起歪板ｃの下端部と下側の起歪板ｄの上端部とがこれらの起歪板ｃ，ｄの間に介在させた起歪板取付部材ｅに取付けられている。さらに、上側の起歪板ｃの上端部が、基体ａに取付けられると共に、下側の起歪板ｄの下端部が、錘体ｂに取付けられ、これにより、錘体ｂが、起歪板ｃ、起歪板取付部材ｅ及び起歪板ｄを介して連結されている。また、起歪板ｃ，ｄには、その変形量を検出するために、例えばひずみゲージｆ，ｇがそれぞれ貼着されている。
【０００５】
このような構造の二軸傾斜計では、例えば基体ａの下方に錘体ｂが吊り下がるようにして、該基体ａが測定対象物に取付けられ、このとき該測定対象物が、図６のＸ軸方向（起歪板ｃの法線方向）に傾斜すると、該起歪板ｃが湾曲変形しつつ前記錘体ｂが基体ａに対して測定対象物の傾斜方向に移動し、このとき、起歪板ｃの変形量が、Ｘ軸方向での測定対象物の傾斜角を示すものとなる。同様に、測定対象物が、図６のＹ軸方向（起歪板ｄの法線方向）に傾斜すると、該起歪板ｄが湾曲変形しつつ錘体ｂが基体ａに対して測定対象物の傾斜方向に移動し、このとき、起歪板ｄの変形量が、Ｙ軸方向での測定対象物の傾斜角を示すものとなる。
【０００６】
従って、各起歪板ｃ，ｄの変形量をそれぞれ前記ひずみゲージｆ，ｇにより検出することで、測定対象物の二軸方向（Ｘ軸方向及びＹ軸方向）の傾斜角を測定することができることとなる。
【０００７】
しかしながら、かかる構造の従来の二軸傾斜計では、起歪板ｃ，ｄを上下方向（鉛直方向）に縦列配置しているため、傾斜計が上下方向に長いものとなり、該傾斜計が大型化してしまうものとなっていた。
【０００８】
また、測定対象物が図６のＸ軸及びＹ軸方向に同じ量だけ傾斜した場合に、各起歪板ｃ，ｄに作用するモーメントは、下側の起歪板ｄよりも上側の起歪板ｃの方が大きく、従って、下側の起歪板ｄよりも上側の起歪板ｃの方がその変形量が大きなものとなる。このため、測定対象物の傾斜角の測定感度は、二つの軸方向で互いに異なるものとなり、両軸方向の傾斜角を同等の精度で測定することが困難なものとなっていた。
【０００９】
尚、測定対象物の二軸方向の傾斜角を検出する場合、一軸方向のみの傾斜角を測定する一軸傾斜計を二つ用意し、それらの一軸傾斜計を互いに異なる方向に向けて測定対象物に取り付けることで、二つの軸方向の傾斜角を各別の一軸傾斜計により測定する場合もある。しかしながら、このような測定手法では、二つの傾斜計を測定対象物に取付けなければならないため、その設置スペース上の制約を受けやすい。また、このような測定手法では、測定対象物に二つの一軸傾斜計を近接させて取り付けたとしても、それらの一軸傾斜計の取付部位は完全に同じ部位にはならないため、測定対象物の一つの特定部位での二軸方向の傾斜角を測定することができない。
【００１０】
【発明が解決しようとする課題】
本発明はかかる背景に鑑み、コンパクトな構成で、しかも、二つの軸方向の測定対象物の傾斜角を同等の感度で測定することができる二軸傾斜計を提供することを目的とする。
【００１１】
【課題を解決するための手段】
本発明の二軸傾斜計はかかる目的を達成するために、傾斜角を測定すべき測定対象物に取り付けられる基体と、該基体と鉛直方向に間隔を存して配置された錘体と、該基体及び錘体の間に鉛直方向に起立した姿勢で配置され、その前記錘体側の一端部が該錘体に取り付けられた第１の起歪板と、該基体及び錘体の間に前記第１の起歪板と直交し且つ鉛直方向に起立した姿勢で前記第１の起歪板と略同じ高さに配置され、その前記基体側の一端部が該基体に取付けられた第２の起歪板と、該基体及び錘体の間に配置され、前記第１の起歪板の前記基体側の他端部及び第２の起歪板の前記錘体側の他端部を取付けた起歪板取付部材と、前記第１の起歪板の法線方向での前記測定対象物の傾斜に伴う前記基体に対する前記錘体の移動による該第１の起歪板の変形量を該第１の起歪板の法線方向での該測定対象物の傾斜角を示す量として検出すると共に、前記第２の起歪板の法線方向での前記測定対象物の傾斜に伴う前記基体に対する前記錘体の移動による該第２の起歪板の変形量を該第２の起歪板の法線方向での該測定対象物の傾斜角を示す量として検出する起歪板変形検出手段とを備えたことを特徴とする。
【００１２】
かかる本発明によれば、前記第１の起歪板の錘体側の一端部及び基体側の他端部がそれぞれ前記錘体及び起歪板取付部材に取付けられ、また、前記第２の起歪板の基体側の一端部及び錘体側の他端部がそれぞれ前記基体及び起歪板取付部材に取付けられているので、錘体が、基体に第１の起歪板、起歪板取付部材及び第２の起歪板を介して支持される。そして、このとき、第１及び第２の起歪板は略同じ高さに配置されているため、基体と錘体との鉛直方向（上下方向）の間隔は、第１もしくは第２の起歪板の鉛直方向の長さ程度の間隔で済み、従来の二軸傾斜計に比して傾斜計の鉛直方向の長さが短くて済む。
【００１３】
また、第１及び第２の起歪板は、基体及び錘体の間で、互いに直交した姿勢で、鉛直方向に起立して配置されているので、前記基体を取付けた測定対象物が、第１の起歪板の法線方向に傾斜したとき、該第１の起歪板が湾曲変形しつつ錘体が基体に対して測定対象物の傾斜方向に移動し、このとき、該第１の起歪板の変形量が第１の起歪板の法線方向への傾斜角に応じたものとなる。同様に、測定対象物が、第２の起歪板の法線方向に傾斜したとき、該第２の起歪板が湾曲変形しつつ錘体が基体に対して測定対象物の傾斜方向に移動し、このとき、該第２の起歪板の変形量が第２の起歪板の法線方向への傾斜角に応じたものとなる。
【００１４】
従って、前記起歪板変形検出手段によって、前記第１及び第２の各起歪板の変形量を検出することで、第１の起歪板の法線方向と第２の起歪板の法線方向との二軸方向での測定対象物の傾斜角が測定されることとなる。
【００１５】
このとき、第１及び第２の起歪板は略同じ高さに配置されているため、測定対象物が、第１の起歪板の法線方向と第２の起歪板の法線方向とに同じ量だけ傾斜したときに第１の起歪板と第２の起歪板とに作用するモーメントはほぼ同等なものとなり、両起歪板の変形量もほぼ同等なものとなる。従って、第１の起歪板の法線方向への測定対象物の傾斜角の測定感度と、第２の起歪板の法線方向への測定対象物の傾斜角の測定感度とをほぼ同等のものとすることが可能となる。
【００１６】
よって、本発明の二軸傾斜計によれば、コンパクトな構成で、しかも、二つの軸方向の測定対象物の傾斜角を同等の感度で測定することができる。
【００１７】
かかる本発明の二軸傾斜計では、好ましくは、前記第１の起歪板と第２の起歪板とはそれぞれ一対づつ備えられると共に、前記起歪板取付部材は前記基体及び錘体の間の略中心部に配置され、前記一対の第１の起歪板は、前記起歪板取付部材の外周箇所に周方向に略１８０度の間隔を存して配置され、前記一対の第２の起歪板は、前記各第１の起歪板と前記起歪板取付部材の周方向に略９０度の位相をずらした位置で、該起歪板取付部材の周方向に略１８０度の間隔を存して配置されている。
【００１８】
このような構成によれば、第１の起歪板と、これに直交する姿勢の第２の起歪板とは、前記基体及び錘体の間の略中心部に配置された起歪板取付部材の周囲に略９０度の間隔を存して交互に配置されることとなって、起歪板取付部材と第１及び第２の起歪板とら成る構成部分を平面視的に見て対称的な構造とすることができ、その構成部分の重量バランスを容易に確保することができる。また、各々一対づつの第１及び第２の起歪板を起歪板取付部材の周囲に配置することで、それらの起歪板を容易に同じ高さ位置に配置することができると共に、それらの起歪板の起歪板取付部材の取付を容易に行うことができる。
【００１９】
この場合、さらに、前記基体、錘体及び起歪板取付部材の中心部に鉛直方向に延在する貫通孔を穿設することが好ましい。このようにすることで、二軸傾斜計の軽量化が図られると共に、該貫通孔を、例えば前記起歪板変形検出手段に係わるケーブルを通して配線するための穴等として活用することができる。
【００２０】
尚、前記起歪板変形検出手段は、前記第１の起歪板及び第２の起歪板のそれぞれに貼着されたひずみゲージにより構成することが好適である。
【００２１】
【発明の実施の形態】
本発明の一実施形態を図１乃至図５を参照して説明する。図１は本実施形態の二軸傾斜計の分解斜視図、図２は本実施形態の二軸傾斜計をその組付け状態で図１のＸ軸方向で見た側面図、図３は本実施形態の二軸傾斜計をその組付け状態で図１のＹ軸方向で見た側面図、図４及び図５は本実施形態の二軸傾斜計の作動説明図である。
【００２２】
図１乃至図３を参照して、１は建設物等の図示しない測定対象物に取付けられる基体、２は基体１の下方に該基体１と鉛直方向に間隔を存して配置された錘体、３は基体１と錘体２との間に配置された起歪板取付部材である。尚、本実施形態では、基体１及び錘体２は円柱形状に形成されている。
【００２３】
起歪板取付部材３は、本実施形態では、その本体部分３ａが鉛直方向（上下方向）に延在する四角柱形状に形成されており、基体１と錘体２との間の中心部にこれらと同心に配置されている。そして、この起歪板取付部材３の本体部分３ａの外周面（側面）の周囲には、四枚の略長方形状の起歪板４，５，６，７がいずれも同じ高さ位置で且つ鉛直方向（上下方向）に起立した姿勢で本体部分３ａの側面沿いに配置されている。
【００２４】
これらの起歪板４，５，６，７は、それぞれ起歪板取付部材３の本体部分３ａの四つの各側面に臨んで、該本体部分３ａの周方向に９０度の間隔を存して配置されている。この場合、これらの起歪板４，５，６，７のうち、本体部分３ａの周方向に１８０度の間隔を存する二つの起歪板４，５は、本発明の構成に対応させると、一対の第１の起歪板に相当するものであり、該第１の起歪板４，５は、図１のＸ軸に平行（図１のＹ軸に垂直）な姿勢で同一面上に配置されている。
【００２５】
また、残りの二つの起歪板６，７（これらは本体部分３ａの周方向に１８０度の間隔を存し、且つ、第１の起歪板４，５と９０度の間隔を存する）は、一対の第２の起歪板に相当するものであり、該第２の起歪板６，７は、図１のＹ軸に平行（図１のＸ軸に垂直）な姿勢、従って第１の起歪板４，５と直交する姿勢で同一面上に配置されている。
【００２６】
そして、第１の起歪板４，５は、その上端部（基体１側の端部）がそれぞれ、起歪板取付部材３の側面の上端部に突設された取付座部８，９にネジ１０，１１を介して取付けられ、また、第１の起歪板４，５の下端部（錘体２側の端部）がそれぞれ、前記錘体２の上面部に突設された取付座部１２，１３にネジ１４，１５を介して取付けられている。
【００２７】
一方、第２の起歪板６，７は、その下端部（錘体２側の端部）がそれぞれ、起歪板取付部材３の側面の下端部に突設された取付座部１６，１７にネジ１８，１９を介して取付けられ、また、第２の起歪板６，７の上端部（基体１側の端部）がそれぞれ、前記基体１の下面部に突設された取付座部２０，２１にネジ２２，２３を介して取付けられている。
【００２８】
以上のような基体１、錘体２、起歪板取付部材３及び起歪板４〜７の組み付け構造により、錘体２は、基体１に第１の起歪板４，５、起歪板取付部材３及び第２の起歪板６，７を介して連結されている。
【００２９】
また、各起歪板４〜７には、それぞれ起歪板変形検出手段を構成するひずみゲージ２４〜２７が貼着されている。これらのひずみゲージ２４〜２７のうち、第１の起歪板４，５にそれぞれ貼着されたひずみゲージ２４，２５は、前記基体１を取り付ける測定対象物が第１の起歪板４，５の法線方向（図１のＹ軸方向）で傾斜したときの各第１の起歪板４，５の変形量（曲げ歪み量）に応じた出力信号を生成する。また、第２の起歪板６，７にそれぞれ貼着されたひずみゲージ２６，２７は、測定対象物が第２の起歪板６，７の法線方向（図１のＸ軸方向）で傾斜したときの各第２の起歪板６，７の変形量（曲げ歪み量）に応じた出力信号を生成する。
【００３０】
そして、各ひずみゲージ２４〜２７は、それから導出された信号線２４ａ〜２７ｂが、各ひずみゲージ２４〜２７に電源電力を供給したり、各ひずみゲージ２４〜２７の出力信号を処理する図示しない測定処理装置にケーブル２８（図２及び図３参照）を介して接続されている。この場合、本実施形態では、測定対象物の複数箇所に図１乃至図３に示すような二軸傾斜計を取付けて測定対象物の多点測定を行うようにしており、上記ケーブル２８は、それらの各二軸傾斜計のひずみゲージ２４〜２７を測定処理装置に接続するものである。そして、本実施形態の二軸傾斜計では、前記基体１、錘体２及び起歪板取付部材３のそれぞれの軸心部に貫通孔１ｘ，２ｘ，３ｘが穿設されており、上記ケーブル２８は図２及び図３に示すようにこれらの貫通孔１ｘ，２ｘ，３ｘを通して配線されている。
【００３１】
次に本実施形態の二軸傾斜計の作動を図４及び図５を参照して説明する。尚、図４及び図５では、説明の便宜上、前記ケーブル２８や信号線２４ａ〜２７ｂは省略している。
【００３２】
本実施形態の二軸傾斜計により図示しない測定対象物の傾斜角を測定する際には、例えば基体１がその下方に錘体２を吊り下げるようにして測定対象物に取付けられる。尚、この場合、実際上は、基体１は、該基体１、錘体２、起歪板取付部材３、及び起歪板４〜７を収容する図示しないハウジングを介して測定対象物に取付けられる。
【００３３】
このように基体１を測定対象物に取付けて固定した状態で、基体１が測定対象物と共に、例えば第１の起歪板４，５の法線方向（図１のＹ軸方向）で傾斜すると、錘体２は、これに作用する重力によって、図４に示すように第１の起歪板４，５（図４では起歪板４のみが示されている）を湾曲させつつ基体１に対して傾動し、このとき、第１の起歪板４，５の湾曲の変形量（曲げ歪み量）は、測定対象物のＹ軸方向での傾斜角θｙに応じたものとなる。
【００３４】
このような第１の起歪板４，５の変形量がそれぞれに貼着されたひずみゲージ２４，２５により検出され、その検出出力が前記ケーブル２８を介して前記測定処理装置（図示しない）に与えられる。そして、該測定処理装置では、ひずみゲージ２４，２５の出力データを処理することで、測定対象物のＹ軸方向での傾斜角θｙを把握し、それを表示したり、記録したりする。
【００３５】
また、基体１が測定対象物と共に、例えば第２の起歪板６，７の法線方向（図１のＸ軸方向）で傾斜すると、錘体２は、図５に示すように第２の起歪板６，７（図５では起歪板６のみが示されている）を湾曲させつつ基体１に対して傾動し、このとき、第２の起歪板６，７の湾曲の変形量（曲げ歪み量）が測定対象物のＸ軸方向での傾斜角θｘに応じたものとなる。
【００３６】
このような第２の起歪板６，７の変形量がそれぞれに貼着されたひずみゲージ２６，２７により検出され、その検出出力がケーブル２８を介して前記測定処理装置（図示しない）に与えられる。そして、該測定処理装置では、図４の場合と同様、ひずみゲージ２６，２７の出力データを処理することで、測定対象物のＸ軸方向での傾斜角θｘを把握し、それを表示したり、記録したりする。
【００３７】
以上のようにして、本実施形態の二軸傾斜計では、Ｘ軸方向（第２の起歪板６，７の法線方向）とＹ軸方向（第１の起歪板４，５の法線方向）との二方向での測定対象物の傾斜角が測定されることとなる。
【００３８】
この場合、本実施形態の二軸傾斜計では、第１の起歪板４，５と第２の起歪板６，７とは、基体１と錘体２との間で同じ高さ位置に配置されているため、基体１と錘体２との間の間隔は、各起歪板４〜７の長さ程度の間隔で済み、従って、二軸傾斜計をコンパクトに構成することができる。
【００３９】
また、第１の起歪板４，５と第２の起歪板６，７とは、基体１と錘体２との間で同じ高さ位置に配置されているため、基体１を取付けた測定対象物がＸ軸方向及びＹ軸方向に同じ量だけ傾斜したときに第１の起歪板４，５と第２の起歪板６，７とにそれぞれ作用するモーメントは同程度のものとなり、従って、この場合の第１の起歪板４，５と第２の起歪板６，７との変形量も同程度のものとなる。このため、測定対象物の傾斜角をＸ軸方向及びＹ軸方向の二方向で同じような感度で測定することができると同時に、それらの二方向の傾斜角の測定精度も同等のものとすることができる。
【００４０】
さらに、一対の第１の起歪板４，５と一対の第２の起歪板６，７との四枚の起歪板４〜７は、起歪板取付部材３の本体部分３ａの周囲に９０度づつの間隔を存して配置しているため、それらの起歪板４〜７の起歪板取付部材３や基体１、錘体２への前述のような取付を簡単な構成で容易に行うことができると同時に、起歪板取付部材３と起歪板４〜７とを組み付けたものを平面視的に見たとき、その構造が対称的な構造となり、良好な重量バランスを確保することができる。
【００４１】
また、本実施形態では、基体１、錘体２及び起歪板取付部材３のそれぞれの軸心部に貫通孔１ｘ，２ｘ，３ｘが穿設されているため、二軸傾斜計を全体的に軽量なものとすることができると共に、複数の二軸傾斜計を用いて測定対象物の傾斜角の多点測定を行う場合に、それらの各二軸傾斜計と前記測定処理装置とを接続するケーブル２８を前述したように貫通孔１ｘ，２ｘ，３ｘを通して配線することができ、その配線を円滑に行うことができる。
【００４２】
尚、本実施形態では、起歪板４，５の上端部及び下端部をそれぞれ起歪板取付部材３及び錘体２に取付けると共に、起歪板６，７の上端部及び下端部をそれぞれ基体１及び起歪板取付部材３に取付けるようにしたが、これと逆に、起歪板４，５の上端部及び下端部をそれぞれ基体１及び起歪板取付部材３に取付け、起歪板６，７の上端部及び下端部をそれぞれ起歪板取付部材３及び錘体２に取付けるようにしてもよい。
【００４３】
また、本実施形態では、起歪板取付部材３の本体部分３ａを四角柱形状に形成したが、円柱形状等の他の形状に形成してもよく、起歪板４〜７を本実施形態と同様の配置関係で取り付けることができるものであればよい。
【００４４】
さらに本実施形態では互いに直交する姿勢の第１の起歪板と第２の起歪板とを一対づつ備えたものを示したが、第１の起歪板と第２の起歪板との個数を１枚づつとしたり、３枚以上の個数とするようにすることも可能であり、あるいは、第１の起歪板と第２の起歪板との個数を互いに異なるものとする（例えば第１の起歪板を１枚、第２の起歪板を２枚とする）ようにすることも可能である。いずれにせよ、第１の起歪板と第２の起歪板とが互いに直交する起立姿勢で且つほぼ同じ高さ位置で基体と錘体との間に配置されるような構造であればよい。
【００４５】
また、本実施形態では、各対の起歪板４，５及び６，７のそれぞれに一つずつひずみゲージ２４，２５及び２６，２７を貼着し、前記Ｙ軸方向での測定対象物の傾斜角に相当する起歪板４，５の対の変形量と前記Ｘ軸方向での測定対象物の傾斜角に相当する起歪板６，７の対の変形量とを、それぞれ２個一組のひずみゲージ２４，２５及び２６，２７を用いた所謂２ゲージ法で検出するものを示したが、例えば各起歪板４〜７の表裏面に２つのひずみゲージを貼着し、各軸方向の測定対象物の傾斜角に相当する各対の起歪板４，５及び６，７の変形量を所謂４ージ法で検出するようにしてもよい。
【００４６】
また、本実施形態では、傾斜角の測定に際して、基体１の下方に錘体２を吊り下げるようにして基体１を測定対象物に取り付けるものを示したが、例えば基体１と錘体２との上下の位置関係を逆にし、基体１の上方に錘体２が位置するようにして基体１を測定対象物に取付けて、２軸方向の傾斜角の測定を行うようにすることも可能である。
【図面の簡単な説明】
【図１】本発明の一実施形態の二軸傾斜計の分解斜視図。
【図２】図１の二軸傾斜計をその組付け状態で図１のＸ軸方向で見た側面図。
【図３】図１は二軸傾斜計をその組付け状態で図１のＹ軸方向で見た側面図。
【図４】図１乃至図３の二軸傾斜計の作動説明図。
【図５】図１乃至図３の二軸傾斜計の作動説明図。
【図６】従来の二軸傾斜計の斜視図。
【符号の説明】
１…基体、２…錘体、３…起歪板取付部材、４，５…第１の起歪板、６，７…第２の起歪板、２４〜２７…ひずみゲージ（起歪板変形検出手段）、１ｘ，２ｘ，３ｘ…貫通孔。
【図１】
0003715750.tif 000002
【図２】
0003715750.tif 000003
【図３】
0003715750.tif 000004
【図４】
0003715750.tif 000005
【図５】
0003715750.tif 000006
【図６】
0003715750.tif 000007